(57)【要約】【課題】  入浴者に継続的に運動させることができる浴槽装置を提供する【解決手段】  本発明の一様態によれば、浴槽と、前記浴槽に設けられ背もたれ可能な第一の浴槽壁面と、前記第一の浴槽壁面に対向して設けられた第二の浴槽壁面と、前記第二の浴槽壁面に設られた足当て部と、前記足当て部に設けられた噴流を吐水する吐水部と、前記吐水部から吐水する噴流を制御する制御部と、を備え、前記制御部は、前記噴流を足裏に吐水することにより足を屈曲させることを可能とし、前記足当て部は、足裏を前記足当て部に当接させた時に、前記吐水部に足裏が吸付かないように噴流を逃がす噴流逃がし部を設けたことを特徴とする浴槽装置が提供される。【選択図】  図１
2010172512.tif 000002
【特許請求の範囲】
【請求項１】
浴槽と、前記浴槽に設けられ背もたれ可能な第一の浴槽壁面と、
前記第一の浴槽壁面に対向して設けられた第二の浴槽壁面と、
前記第二の浴槽壁面に設けられた足当て部と、
前記足当て部に設けられた噴流を吐水する吐水部と、
前記吐水部から吐水する噴流を制御する制御部と、を備え、
前記制御部は、前記噴流を足裏に吐水することにより足を屈曲させることを可能とし、
前記足当て部は、足裏を前記足当て部に当接させた時に、前記吐水部に足裏が吸付かないように噴流を逃がす噴流逃がし部を設けたことを特徴とする浴槽装置。
【請求項２】
前記吐水部に設けられた吐水開口部の外部に、少なくとも一つの前記噴流逃がし部を設けたことを特徴とする請求項１に記載の浴槽装置。
【請求項３】
前記吐水部の、前記第二の浴槽壁面よりも窪む位置に、少なくとも一つ前記噴流逃がし部を設けたことを特徴する請求項１または２に記載の浴槽装置。
【請求項４】
前記吐水部に設けられた吐水開口部の円周状に、少なくとも一つ前記噴流逃がし部を設けることを特徴とする請求項１乃至３の何れか一項に記載の浴槽装置。
【発明の詳細な説明】
【技術分野】
【０００１】
本発明の態様は、一般的に、浴槽装置に関し、具体的には入浴者に運動させる浴槽装置に関する。
【背景技術】
【０００２】
近年、社会的に健康志向が高まり、フィットネスやエクササイズなどの運動によって健康管理を行いたいという要求が高まっている。また、入浴中に手軽に運動したいという要望もある。
【０００３】
例えば、特許文献１には、浴槽内に踏み込み可能な踏み台を設ける技術が開示されている。踏み台にはバネによって踏み込み負荷が与えられており、入浴者は座位姿勢のまま片足で踏み台を踏み込むことにより、運動することができる。しかしながら、普段から運動習慣の無い人が運動を行うには、相当な意志の力を要する。特に、入浴時はリラックスした精神状態になっているため、意志の力を発揮することは困難である。このため、浴槽内に運動器具を設置しても、運動が長続きしないことが予想される。また、同じ動作を繰り返すため、その動作に慣れたり飽きたりして、運動が長続きしないことが予想される。
【０００４】
一方、特許文献２には、内部に足置き部が設けられ、この足置き部に噴流を噴出する吐出口が設けられた循環式浴槽が開示されている。特許文献２には、入浴者が足置き部に足を載せた状態で、吐出口から噴流を噴出させることにより、入浴者の足裏を刺激して、マッサージを施すことができると記載されている。しかしながら、この循環式浴槽は、入浴者が足置き部に足を載せて使用するものであり、入浴者に身体の広範囲を運動させるものではない。
【０００５】
また、特許文献３には、噴出ノズルからの噴流を制御部によって噴出・停止を制御する気泡発生装置が開示されている。特許文献３には、両噴出個所により浴湯が噴出する一定のオーバーラップ時間が生じ、噴出個所の移行が円滑に行えて、入浴者に不快感を与えることがなくなると記載されている。しかしながら、この気泡発生装置は、特許文献２に開示された循環式浴槽と同様に、入浴者に身体の広範囲を運動させるものではない。
【先行技術文献】
【特許文献】
【０００６】
【特許文献１】特開２００３−２３６０１４号公報
【特許文献２】特開２００５−２８７５４１号公報
【特許文献３】特許第２７１０８２９号公報
【発明の概要】
【発明が解決しようとする課題】
【０００７】
本発明の態様は、かかる課題の認識に基づいてなされたものであり、入浴者に継続的に運動させることができる、あるいは身体の部位をバランスよく運動させることができる浴槽装置を提供する。
【課題を解決するための手段】
【０００８】
本発明の一態様によれば、浴槽と、前記浴槽に設けられ背もたれ可能な第一の浴槽壁面と、前記第一の浴槽壁面に対向して設けられた第二の浴槽壁面と、前記第二の浴槽壁面に設られた足当て部と、前記足当て部に設けられた噴流を吐水する吐水部と、前記吐水部から吐水する噴流を制御する制御部と、を備え、前記制御部は、前記噴流を足裏に吐水することにより足を屈曲させることを可能とし、前記足当て部は、足裏を前記足当て部に当接させた時に、前記吐水部に足裏が吸付かないように噴流を逃がす噴流逃がし部を設けたことを特徴とする浴槽装置が提供される。
【発明の効果】
【０００９】
本発明の態様によれば、入浴者に継続的に運動させることができる、あるいは身体の部位をバランスよく運動させることができる浴槽装置が提供される。
【図面の簡単な説明】
【００１０】
【図１】本発明の一実施形態に係る浴槽装置を例示する模式的断面図である。
【図２】吐水と足部との関係を表す模式的断面図である。
【図３】。図２に示した浴槽装置の動作を表すグラフである。
【図４】本発明の一実施形態に係る浴槽装置の第一の具体例を示す模式的断面図と平面図である。
【図５】本発明の一実施形態に係る浴槽装置の第二の具体例を示す模式的断面図と平面図である。
【図６】本発明の一実施形態に係る浴槽装置の第三の具体例を示す模式的断面図と平面図である。
【図７】本発明の一実施形態に係る浴槽装置の第二の具体例の変形例を示す模式的断面図と平面図である。
【図８】本発明の一実施形態に係る浴槽装置の第三の具体例の変形例を示す模式的断面図と平面図である。
【図９】本発明の一実施形態に係る浴槽装置の第四の具体例を示す模式的断面図と平面図である。
【図１０】本発明の一実施形態に係る浴槽装置の吐水部の具体的変形例を例示する模式図である。
【図１１】本発明の一実施形態に係る浴槽装置の、入浴者の状態を例示する図である。
【図１２】本発明の一実施形態に係る浴槽装置の、入浴者の筋活動を示す図である。
【図１３】本発明の一実施形態に係る浴槽装置の、入浴者の筋の場所とその活動を例示する図である。
【図１４】本発明の一実施形態に係る浴槽装置の、使用時の呼吸商を示した図である。
【図１５】本発明の一実施形態に係る浴槽装置の、流量と脚部移動量との関係を示す図である。
【発明を実施するための形態】
【００１１】
第１の発明は、浴槽と、前記浴槽に設けられ背もたれ可能な第一の浴槽壁面と、前記第一の浴槽壁面に対向して設けられた第二の浴槽壁面と、前記第二の浴槽壁面に設られた足当て部と、前記足当て部に設けられた噴流を吐水する吐水部と、前記吐水部から吐水する噴流を制御する制御部と、を備え、前記制御部は、前記噴流を足裏に吐水することにより足を屈曲させることを可能とし、前記足当て部は、足裏を前記足当て部に当接させた時に、前記吐水部に足裏が吸付かないように噴流を逃がす噴流逃がし部を設けたことを特徴とする浴槽装置である。
【００１２】
この浴槽装置によれば、吐水部に噴流逃がし部を設け、入浴者が、吐水部に足裏を当節し、足を屈曲するための噴流を受ける時、足裏と吐水部の間に噴流を逃がす空間を噴流逃がし部によって作ることが可能となる。
即ち、噴流逃がし部を設けることで、足裏で吐水開口部が覆われても、吐水部から吐水される噴流を噴流逃がし部より排出することで、入浴者の足裏に生じる負圧領域を小さくすることが出来る。負圧領域発生を防止し、足裏と吐水部の間の距離が近い状態でも、噴流の力を軽減させることなく、入浴者は足で噴流を受け、入浴ウォーキングのどの位相においても円滑に行うことが可能となる。
【００１３】
また、第２の発明は、第１の発明において、前記吐水部に設けられた吐水開口部の外部に、少なくとも一つの前記噴流逃がし部を設けたことを特徴とする浴槽装置である。
この浴槽装置によれば、噴流逃がし部を設け、入浴者が、吐水部に足裏を当節し、足を屈曲するための噴流を受ける時、足裏と吐水部の間に噴流を逃がす空間を複数の噴流逃がし部によって作ることが可能となる。即ち、複数の噴流逃がし部を設けることで噴流を逃がす面積を広くとり、足裏で吐水開口部が覆われても、吐水部から吐水される噴流の流速を高めることなく、噴流逃がし部より排出することができる。それによって、入浴者の足裏に生じる負圧領域をより小さくすることが出来、負圧領域発生を防止することが可能となる。さらに、足裏と吐水部の間の距離が近い状態でも、噴流の力を軽減させることなく、入浴者は足で噴流を受け、屈伸運動のどの位相においてもより円滑に行うことが可能となる。
【００１４】
また、第３の発明は、第１または第２の発明において、前記吐水部の、前記第二の浴槽壁面よりも窪む位置に、少なくとも一つ前記噴流逃がし部を設けたことを特徴する浴槽装置である。
この浴槽装置によれば、第二の浴槽壁面より窪んだ位置に、噴流逃がし部を設けることで、逃がし部を通じて流れる噴流は、吐水部と浴槽壁面を伝って排出される。すなわち、入浴者が、吐水部に足裏を当節し、足を屈曲するための噴流を受ける時、入浴者の足裏に生じる負圧領域をより小さくすることが出来、負圧領域発生を防止することが可能となる。そして、足裏と吐水部の間の距離が近い状態でも、噴流の力を軽減させることなく、入浴者は足で噴流を受け、屈伸運動のどの位相においてもより円滑に行うことが可能となる。
【００１５】
また、第４の発明は、第１〜第３のいずれか１つの発明において、前記吐水部に設けられた吐水開口部の円周状に、少なくとも一つ前記噴流逃がし部を設けることを特徴とする浴槽装置である。
この浴槽装置によれば、噴流逃がし部を吐水開口の円周状に設けることで、足裏と吐水部の間に噴流を逃がす空間を接地した足裏の位置や向きに制限されることなく作ることが可能となる。即ち、複数の噴流逃がし部を設けることで噴流を逃がす面積を広くとり、足裏で吐水開口部が覆われても、吐水部から吐水される噴流の流速を高めることなく、噴流逃がし部より排出することができる。それによって、入浴者の足裏に生じる負圧領域をより小さくすることが出来、負圧領域発生を防止することが可能となる。
【００１６】
以下、本発明の実施の形態について図面を参照しつつ説明する。なお、各図面中、同様の構成要素には、同一の符号を付して詳細な説明は適宣省略する。
図１は、本発明の実施の形態に係る浴槽装置を例示する模式断面図である。
【００１７】
図１に表したように、本実施形態にかかる浴槽装置１は、浴室ユニット６０内に設けられている。浴室ユニット６０は、防水パン６１によって床が構成されており、壁パネル６２によって壁が構成されており、天井パネル（図示せず）によって天井が構成された箱形の水密ユニットである。浴槽装置１は、防水パン６１上に配置されている。
【００１８】
浴槽装置１には、浴槽２が設けられている。浴槽２の形状は例えば略直方体形状であり、長手方向の一端部の内側面は、入浴者Ｍの背中ｍ１が接触する背側面（第１の浴槽壁面）２ａとなっており、長手方向の他端部の内側面は、入浴者Ｍが入浴姿勢をとったときにその足裏ｍ２が対向する足側面（第２の浴槽壁面）２ｂとなっている。つまり、入浴者Ｍは、背側面２ａに背をもたれることができる。また、背側面２ａと足側面２ｂとは、底面２ｃを挟んで相互に対向している。
【００１９】
浴槽２の足側面２ｂには、入浴者Ｍの足に噴流を吐水するノズル（吐水部）３が設けられている。ノズル３は、浴槽２の内部に向けて水流（噴流）を噴射するものであり、この噴流の方向は足側面２ｂから背側面２ａに向かう方向である。さらに、吐水部３には、入浴者Ｍの足裏が吐水部に覆うように当接した際、吐水部３から流れである噴流を、噴流の吐水方向から略直交する方向に逃がす噴流逃がし部を設けている。
【００２０】
浴槽２の長手方向の長さ、すなわち、浴槽２における足側面２ｂと背側面２ａとの間の長さは、標準的な体格の入浴者Ｍが入浴姿勢をとったとき、すなわち、臀部を浴槽２の底面２ｃに接触させ、背中ｍ１を浴槽２の背側面２ａに接触させ、足裏ｍ２を足側面２ｂに対向させたときに、足裏ｍ２でノズル３を覆うことができる程度の長さである。
【００２１】
また、浴槽装置１には、噴流を生成する駆動部として、ポンプ４が設けられている。このポンプ４は、ノズル３に接続されている。なお、本願明細書において「水」という場合には、冷水のみならず、加熱されたお湯も含むものとする。ポンプ４の吸入口７は浴槽２の内部に連通されている。これにより、ポンプ４は浴槽２内から水を汲み上げ、噴流を生成して吐出する。
【００２２】
浴槽装置１には、ポンプ４の動作を制御する制御部５がさらに設けられている。この制御部５は、ポンプ４に電気的に接続され、ポンプ４の動作を制御することによりノズル３からの噴流の状態を制御できる。そして、制御部５は、ノズル３からの噴流の状態を、入浴者Ｍの足を屈曲させない噴流状態（第１の噴流状態）と、第１の噴流状態よりも吐水流量が多く入浴者Ｍの足を屈曲させる噴流状態（第２の噴流状態）と、に設定できる。
【００２３】
第１の噴流状態のときのノズル３からの吐水流量Ｑ１は、例えば約３０リットル／分程度である。一方、第２の噴流状態のときのノズル３からの吐水流量Ｑ２は、例えば約１３０リットル／分程度である。このように、第２の噴流状態のときの吐水流量Ｑ２は、マッサージ用として噴出される噴流の吐水流量よりもかなり大きい。そのため、第２の噴流状態のときのノズル３からの噴流は、入浴者Ｍが背中ｍ１を背側面２ａに接触させ、足裏ｍ２をノズル３に対向させたときに、入浴者Ｍの足関節、膝関節及び股関節を同時に屈曲させることが可能である。
【００２４】
また、本実施形態にかかる浴槽装置１は、例えばリモコンなどの操作部８を備える。この操作部８は、例えば、浴室ユニット６０の壁パネル６２に取り付けられており、入浴者Ｍからの操作により制御部５へ制御信号を送信できる。そして、制御部５は、操作部８からの制御信号に基づいてポンプ４の動作を制御できる。つまり、入浴者Ｍは、操作部８を操作することによりポンプ４の動作を制御し、ノズル３からの噴流の状態を変更できる。
【００２５】
なお、前述したように、第１の噴流状態のときの吐水流量Ｑ１は、例えば約３０リットル／分程度であり、０（ゼロ）リットル／分でない。そのため、制御部５がノズル３からの噴流を第１の噴流状態から第２の噴流状態に切り替えた場合でも、ポンプ４に対して過負荷がかかるおそれは少ない。さらに、第１の噴流状態から第２の噴流状態に切り替わる時間、すなわち吐水流量Ｑ１から吐水流量Ｑ２の噴流が吐水されるまでの時間を短縮することができる。
【００２６】
また、入浴者Ｍは、浴槽２内に水（湯）Ｗを入れた状態で浴槽２内に入る。そして、入浴者Ｍは、入浴姿勢をとる（図１参照）。すなわち、入浴者Ｍは、臀部を浴槽２の底面２ｃに接触させ、背中ｍ１を浴槽２の背側面２ａに接触させ、足裏ｍ２を足側面２ｂに対向させる。そして、入浴者Ｍは、足裏ｍ２でノズル３を覆うように、足を配置し、ノズル３から噴出される噴流を足裏で捉える初期姿勢をとる。このとき、入浴者Ｍはリラックスした状態にあり、足関節、膝関節及び股関節は脱力されているものとする。この時の姿勢を入浴姿勢と我々は定義した。
【００２７】
図２は、入浴者Ｍがノズル３からの噴流を足裏に受けているときの状態を表す模式図である。  なお、図２（A）（B）は、噴流逃がし部３ｃを持たない一般的なノズル３の例である。図２（C）は、ノズル３と入浴者Ｍの足裏間においてクリアランスを取らせるよう足側面２ｂから突出した足当て部３ｃを有するノズルを示している。図２は、各ノズルから噴射される水流が足裏に対してどのように流れ、足裏へ噴射力として伝えるかを模式的に示している。
【００２８】
入浴者Ｍが、上記の入浴状態を保持してから、ポンプ４を作動させる。これにより、ポンプ４は、浴槽２内の水を吸入口７から汲み上げて噴流を生成し、ノズル３に対して供給する。そして、図１に関して前述したように、制御部５は、ノズル３からの噴流の状態を、入浴者Ｍの足を屈曲させない第１の噴流状態（吐水流量Ｑ１）から、第１の噴流状態よりも吐水流量が多く入浴者Ｍの足を屈曲させる第２の噴流状態（吐水流量Ｑ２）へと吐水の水量を設定する。
【００２９】
なお、入浴者Ｍは、制御部５が、ノズル３からの噴流の状態を、入浴者Ｍの足を屈曲させない第１の噴流状態（吐水流量Ｑ１）から、第１の噴流状態よりも吐水流量が多く入浴者Ｍの足を屈曲させる第２の噴流状態（吐水流量Ｑ２）へと吐水の水量を調節することを繰り返すことで、脚部の屈伸運動を実現する。また、脚部を屈曲させる際、入浴者Ｍの入浴姿勢のバランスを崩され、不安定な姿勢となる。そのため、入浴者Ｍは、無意識に全身の筋肉を働かせて姿勢を安定させようとする補償動作を行う。入浴者は、これによっても運動することができる。
【００３０】
また、この運動は外部から与えられる他力的な他動運動であり、入浴者の意志によって行われる自動運動ではないため、入浴者Ｍの意志力に依存する部分が少なく、長続きしやすい。また、この運動は入浴姿勢のまま行うことができるため、入浴者は、リラックスした状態で運動することができる。この結果、運動を継続しやすい。なお、「他動運動」とは、人が自分の筋力ではなく外力を利用して行う運動をいい、本願明細書においては、上述の如く姿勢を崩された場合の補償動作も含むものとする。
【００３１】
さらに、入浴による温熱効果により、運動効果がより一層向上する。また、噴流により入浴者Ｍの周囲の温度境界層が常に破壊されるため、入浴者Ｍが温まり易く、運動効果がさらに向上する。このように、前述した運動を浴槽内で行うことにより、浴槽外で行う場合と比較して、より高い運動効果を得ることができる。
【００３２】
ここで、制御部５が、ノズル３からの噴流の状態を入浴者Ｍの足を屈曲させない第１の噴流状態（吐水流量Ｑ１）から、第１の噴流状態よりも吐水水量が多く入浴者Ｍの足を屈曲させる第２の噴流状態（吐水流量Ｑ２）へと吐水の水量を変更した時に、足裏で噴流を受けた状態を図２に示す。また、図２は、足裏ｍ２が吐水部を覆うため、吐水開口２ａを狭めている状態を示している。図２（A）、（B）では、足裏で吐水開口２ａを狭められた状態で、ポンプ４から送られてきた噴流の速度が、吐水開口から吐水された後にｖ２へ増加し、さらに足裏に沿ってその噴流が排出されるため、入浴者Ｍの足裏に負圧領域が生まれている状態を例示している。この負圧領域が足裏に生じると、噴流によって足を屈曲させる力に無駄が生じてしまい、最適な屈伸運動を入浴者へ提供できないとの恐れがある。
【００３３】
そこで、本実施形態にかかる浴槽装置１は、図２（C）に例示すノズル３のように、噴流を吐水方向Ｙから略直交する方向に逃がすことのできる開口である噴流逃がし部３ｂを備えている。噴流逃がし部３ｂによって入浴者Ｍの足裏ｍ２と吐水開口３ａの間に、吐水部３から伝わる噴流を足裏ｍ２に沿わせること無く排出することが可能となる。また、噴流逃がし部３ｂを備えることで、足裏ｍ２で吐水開口３ａを狭めることが少なくなる。それによって、足裏に発生する負圧領域を軽減させることが出来る。即ち、噴流によって足を屈曲させる力を効率良く入浴者Ｍは受けることが出来、噴流による屈伸運動より快適な運動を入浴車は、噴流によって提供される。
【００３４】
図３は、図２の（Ａ）、（Ｂ）、（Ｃ）に示すノズル３を用いたとき、第二の浴槽壁面２ｂとノズル３から離れた距離に応じて足部ｍ７が受ける力（ニュートン）を例示するグラフ図である。図２（Ａ）、（Ｂ）で示すノズルを使用した場合、ノズル３との距離が５０ｍｍ以上離れると足部ｍ７で受ける力は１０〜２０ニュートン程度となる。しかし、ノズル３との距離が５０ｍｍ以下になると足部ｍ２で受ける力が減少することを示している。この力の現象は、上述したように足裏に発生する負圧領域によって、力が現象していることを実験により捉えた結果である。
【００３５】
これによれば、図２（Ｃ）のノズル３に図示されるような噴流逃がし部３ｂを備えた浴槽装置では、入浴者Ｍの足裏ｍ２で吐水部３を接地し覆う場合でも、噴流逃がし部３ｂより噴流が排出されるため、入浴者Ｍの足裏ｍ２に沿った噴流を抑制できる。すなわち、噴流が足裏ｍ２に沿って流れることで発生する負圧領域を抑えることが出来る。また、ノズル３から吐水される噴流は、足当て部３ｃがガイド効果を発揮することで噴流が整流される。そのため、噴流が足裏ｍ２を押す力（第一の浴槽壁面に向かっう力）を高める事となる。この二つの働きを持つことで、ノズル３と距離が近い場合においても足部ｍ７を押し出す力が減少しないことを図３より示している。
【００３６】
次に、本実施形態にかかる浴槽装置の動作の具体例について、図面を参照しつつ説明する。まず、噴流逃がし部３ｂを備えた吐水部３の具体例について、図面を参照しつつ説明する。また、図４から図９は、本具体例にかかる浴槽装置の動作を表す平面模式図である。
【００３７】
本実施形態にかかる第一の具体例に関して、吐水開口３ａの外部に噴流逃がし部３ｂを設けた浴槽装置について図４を用いて説明する。噴流逃がし部３ｂは、吐水部３の足当て部３ｃより切りかかれた部分である。そして、本具体例における噴流逃がし部３ｂは、例えば、図４（A）〜（D）に示すように、吐水開口３ａの下端部に吐水部３の形状に沿って噴流逃がし部３ｂが備わっている。
【００３８】
入浴者Ｍは、図４（Ｃ）、（Ｄ）に例示するように、足裏前部となる足の指から母指球の範囲で、足当て部３ｃに接地することとなる。そして、噴流逃し部３ｂは、足当て部３ｃよりも窪んだ部分である。即ち、入浴者Ｍが、足裏で足当て部３ｃを接地すると、吐水開口３ａに対して一定の空間を作るとともに、噴流逃がし部３ｂによって、吐水開口３ａより吐水する噴流の吐水方向Ｙから略直交する方向に向かって噴流を逃がすことを可能にする。それによって、噴流が流れる流路を確保する効果を備える。そのため、吐水開口３ａを足裏で覆った場合においても狭めることもなく噴流の吐水方向Ｙへの力を弱めない。さらに、吐水される噴流の流速を増加させることで生じる負圧領域も軽減される。即ち、入浴者Ｍの足裏が吐水部３に近接する状態においても、足を屈曲する第二の噴流状態になれば、入浴者Ｍは、効率良く足を屈曲する力を噴流から受け取ることが可能となる。故に、本装置を使用することで最適な屈伸運動を入浴者へ提供することが可能となる。
【００３９】
さらに、図４（Ａ）から（Ｄ）に示されるように、噴流逃がし部３ｂを吐水開口３ａの下端部に設けることで、足当て部３ｃを支持点とすることで、足関節周りの関節可動域を確保するとともに、屈曲方向におけるストレッチ効果をより効果的に入浴者へ与えることが可能となる。
【００４０】
図４に図示される、噴流逃がし部３ｂと足当て部３ｃの窪み深さＬは、例えば１０ｍｍ以上が良い。より足裏に発生する負圧領域を抑制するには、窪み深さＬは、２０ｍｍとすることが良く、さらに好ましくは、３０ｍｍが良い。
【００４１】
本実施形態にかかる第二の具体例に関して、吐水開口３ａの周囲に複数の足当て部３ｃと噴流逃がし部３ｃを設けた浴槽装置について図５を用いて説明する。本具体例における噴流逃がし部３ｂは、図５（Ａ〜Ｄ）に例示するように、吐水開口３ａの周囲に複数足当て部３ｃが備わることで作られる。よって、複数の足当て部３ｃに囲まれた、足当て部３ｃよりも窪んだ領域を、噴流逃がし部３ｂと定義する。足当て部３ｃと噴流が逃がし部３ｂとの高低差が、足裏と吐水開口３ａ間におけるクリアランスを作るとともに、噴流逃がし部３ｂによって、吐水開口３ａより吐水する噴流の吐水方向Ｙから略直交する方向に向かって噴流を逃がすことを可能にする。
【００４２】
図５（Ｃ）、（Ｄ）に示すように、足当て部３ｃと噴流逃がし部３ｂによって、足裏と吐水開口間にクリアランスを作り出す。即ち、噴流が流れる流路を確保する効果を備える。そのため、吐水開口３ａを足裏で狭めることもなく、吐水される噴流の流速を増加させることで生じる負圧領域も軽減される。よって、入浴者Ｍの足裏が吐水部３に近接する状態においても、足を屈曲する第二の噴流状態になれば、入浴者Ｍは、効率良く足を屈曲する力を噴流から受け取ることが可能となる。故に、本装置を使用することで最適な屈伸運動を入浴者へ提供することが可能となる。
【００４３】
さらには、複数の足当て部３ｃを設けることで、足裏を複数の足当て部３ｃで支持することが出来るため、入浴者Ｍは安定した脚部保持の状態で噴流を受けて、円滑な屈伸運動を得ることが可能となる。
【００４４】
本実施形態にかかる第三の具体例に関して、足当て部３ｃの領域を小さくし、噴流逃がし部３ｂを広く配した浴槽装置を示す図６について説明する。足当て部３ｃと噴流逃げ部３ｂを設けた例を図４、図５で例示した様に、吐水開口３ａと入浴者Ｍの足裏ｍ２間に噴流逃がし部３ｂを作り出すことで、噴流によって生じる足裏ｍ２への負圧領域を軽減し、最適な屈伸運動が行える。
【００４５】
さらに、図６の浴槽装置では、足当て部３ｃの領域を小さくし、加えて吐水開口３ａより吐水される噴流を逃がすための領域、噴流逃がし部３ｂを広くする。それによって、足裏へ生じる負圧領域をさらに軽減させることが可能となる。即ち、より入浴者Ｍへ噴流による快適な屈伸運動を提供することが可能となる。
【００４６】
本実施形態にかかる第二、第三具体例の変形例に関して図７、図８を用いて説明する。
図７、８に例示する様に、吐水部３は足側面２ａより突出しておらず、即ち、吐水部３の足当て部３ｃと足側面２ａは、略水平となっている。そして、噴流逃がし部３ｂは、足当て部３ｃと足側面２ａより窪むよう設けられている。また、第二、第三具体例の変形例で示した形状に吐水部３、足当て部３ｃと足側面２ａが限定されるものではない。
【００４７】
図７、８に例示する様に、入浴者Ｍの足裏は、図７、図８に例示される足当て部３ｃに接地する。その際、足裏ｍ２は足当て部３ｃと噴流逃がし部３ｂ間に空間を作るとともに、噴流逃がし部３ｂによって、吐水開口３ａより吐水する噴流の吐水方向Ｙから略直交する方向に向かって噴流を逃がすことを可能にする。それによって、吐水開口２ａより吐水される噴流を足裏ｍ２に沿わせること無く排出することができ、足裏ｍ２に生じる負圧領域を押さえる事が可能となる。よって、入浴者Ｍは足裏ｍ２に負圧領域を受けることがないため、噴流による屈伸運動を快適行うことができる。
【００４８】
また、吐水部３、足当て部３ｃと噴流逃がし部３ｂが、足側面２ａより奥まった位置に配置されることで、浴槽内を広く見せると共に、突出部位で身体をぶつけることがなく、快適な噴流による屈伸運動を入浴者へ提供することが可能となる。
【００４９】
本実施形態にかかる第四の具体例に関して、吐水開口３ａより、上部に円柱状の足当て部３ｃを設け、円柱状の足当て部３ｃの側面に噴流逃がし部３ｂを設けた浴槽装置について、図９を用いて説明する。図９（Ａ）、（Ｂ）に図示されたように、吐水開口３ａより突出した位置に円柱状の足当て部３ｃを設ける。そして、この円柱状の足当て部３ｃの側面には、噴流を逃すことのできる開口である噴流逃がし部３ｂを備えることで、入浴者Ｍの足裏ｍ２が足当て部３ｃに接地し、吐水開口２ａを足裏ｍ２で覆う状態でも、噴流逃がし部２ｂによって、吐水開口３ａより吐水される噴流の吐水方向Ｙから略直交方向に向かって噴流を逃がすことができ、さらに、噴流が略直交方向に逃げる際、その逃げる噴流は、足裏ｍ２から離れて排出される。そのため、足裏ｍ２に負圧領域が生じないことを図９（Ｃ）、（Ｄ）で例示している。
【００５０】
また、噴流逃がし部３ｂである開口の形状は、図１０（Ａ）、（Ｂ）、（Ｃ）に例示されたように、図１０（Ａ）スクエア形状、（Ｂ）円形状、（Ｃ）格子状などに形状を変えても同じ効果を得ることが出来る。なお、噴流逃がし部３ｂの形状は、図１０に例示した内容に制限されるものではない。
【００５１】
図９（Ｃ）、（Ｄ）より、噴流逃がし部３ｂによる効果を説明する。吐水開口３ａより突出した円柱状側面に噴流逃がし部３ｂが配置されている。入浴者Ｍの足裏ｍ２は、足当て部３ｃに接地すると、吐水開口３ａと足当て部３ｃの間に空間が生まれる。さらに、、吐水開口３ａより吐水される噴流の吐水方向Ｙから略直交方向に向かって噴流を逃がすことができるように、噴流逃がし部３ｂが足側面２ａ近傍に配置されることで、吐水開口３ａより吐水される噴流は、足裏ｍ２から離れて排出することを可能とする。即ち、噴流が流れる流路を確保する効果を備える。吐水される噴流の流速を増加させることで生じる負圧領域も軽減される。そして、入浴者Ｍの足裏が吐水部３に近接する状態においても、足を屈曲する噴流状態になれば、入浴者Ｍは、効率良く足を屈曲する力を噴流から受け取ることが可能となる。故に、本装置を使用することで最適な屈伸運動を入浴者へ提供することが可能となる。
【００５２】
さらに、円柱側面に配された足当て部３ｃは、吐水開口３ａより吐水された噴流を、整流するガイド部としての役割も担う。即ち、吐水開口３ａより吐水された噴流が拡散することなく、入浴者Ｍの足裏に吐水することが可能となり、拡散によって噴流による足を屈曲させる力の減少が起きない。そのため、入浴者Ｍへ屈伸運動を行うための噴流からの力を効率よく伝えることができ、最適な屈伸運動を入浴者Ｍへ提供することが可能となる。
【００５３】
さらに、円柱状の足当て部３ｃは、入浴者Ｍの足裏が接地すると、図９（Ｄ）に示すように、吐水開口３ａより吐水された噴流を、足当て部３ｃの側面に配置された噴流逃がし部３ｂより逃がす。そのため、噴流逃がし部３ｂより放出される噴流は、足裏ｍ２から足当て部３ｃの分だけ離れて流れる。そのため、足裏ｍ２に沿った噴流が流れないことから、足裏に負圧領域が発生しないこととなる。そのため、入浴者Ｍへ屈伸運動を行うための噴流からの力をより効率よく伝えることができ、最適な屈伸運動を入浴者Ｍへ提供することが可能となる。
【００５４】
図１１は、上述してきた吐水状態によって、入浴者Ｍがとりうる動作・状態を示す。図１１（ａ）に図示するように、入浴者Ｍの脚部は、吐水しない状態では、脚部を伸展する状態、すなわち足当て部３ｃに足裏を当接することとなる。そして、図１１（ｂ）のように吐水部３が噴流を吐水する状態になったとき、入浴者Ｍの足関節、膝関節及び股関節は屈曲し、足部ｍ２が、足当て部３ｃから離間し、第一の浴槽壁面２ａに向かって移動する。
【００５５】
さらに、屈曲する状態を作る噴流は、足部を包むように流れ場を生成するため、噴流から足部が外れないように力が働く。これと同じ現象は、噴水の上にピンポン玉を載せた時にピンポン玉が噴流の中心で留まる現象である。これによって効率よく噴流によって入浴者は脚部の屈伸運動ができる。
【００５６】
従って、吐水部３が交互に噴流を吐水することにより、入浴者の足部が浴槽２の長手方向に沿って交互に往復し、結果、入浴者の脚部を連続的に屈伸運動させることが可能となる。また、噴流によって脚部が屈曲伸展させられることから、入浴者は運動をしようという強い意志を必要としないため、継続的な運動を行うことができる。また、吐水部３は第二の浴槽壁面２ｂに設けられており、噴流を吐水していない場合は通常の浴槽同様に仕様できることから、別途運動器具を取り外しする手間も必要なく、邪魔にもならない。すなわち、本発明の一実施形態に係る浴槽装置は、入浴者を、座らせた状態にありながら、他動的に歩行を模した水中ウォーキングの運動を行わせることができる運動浴槽装置であると言える。
【００５７】
脚部が絶えず動き続けている状態は、脚部の運動のみならず全身運動への波及効果をもたらすことが、筋活動を調べた実験より確認されている。図１２は、吐水状態における入浴者の筋群の筋活動を示した図である。図１２の縦軸はそれぞれの筋群が活動している状態を、横軸は時間を表す。図１２に示すように、腓腹筋や前脛骨筋、ハムストリングス（大腿４頭筋）のような下肢の筋群の運動だけではなく、脊柱起立筋のような背部の筋や、前腕筋群（腕橈骨筋）のような腕部の筋も活動していることがわかる。このように、本発明の一実施形態にかかる運動浴槽装置は、脚部だけでなく全身の筋群を活動させており、脚部だけでなく全身の運動や筋力トレーニングにも効果がある。また、入浴者へウォーキング動作を行っているような運動感を誘発させることも主観評価より分かっている。
【００５８】
図１３の（ａ）と（ｂ）より、具体的に、他動的な屈伸運動によって起こる筋の活動を説明する。図１２の（ａ）は、噴流によってもたらされる他動運動によって活動する筋群を例示した図であり、図１３（ｂ）で示されている筋群の位置を示す。図１３（ｂ）は、縦軸に筋の活動量を示し、横軸に時間をとり、吐水状態に応じて脚部の異なる筋が活動していることを示す。なお、Ｍ４はハムストリングス（大腿二頭筋他）を、Ｍ５は前脛骨筋を示す。吐水のＳ１時間に伴う脚部の屈曲より、前脛骨筋Ｍ５が積極的に活動し始める。これは、足部が第二の浴槽壁面より離れ、第一の浴槽壁面へ移動している状態で筋の活動が起こっている事を意味する。
【００５９】
そして、次にＳ２時間で吐水しない状態となり、入浴者の足部が第二の浴槽壁面２ｂへ移動し、吐水部３と第二の浴槽壁面２ｂに当接する。入浴者の足部が第二の浴槽壁面２ｂに接すると、ハムストリングスＭ４が活動することを図１３の（ｂ）より示している。このように、噴流の増減に伴って起こる脚部の屈伸運動は、異なる筋群を働かせることで運動効果を高める。
【００６０】
図１３に図示されていた前脛骨筋Ｍ５は、ヒトの身体セグメントにおける下腿部に備わった筋である。前脛骨筋Ｍ５の働きは、歩行時、地面と足部とのクリアランスをとるために働く筋肉として知られている。よって、前脛骨筋Ｍ５を活動させる運動とは、転倒予防に貢献する運動を意味する。
【００６１】
同じく、図１３に図示されたハムストリングスＭ４は、ヒトの身体セグメントにおける大腿部に備わった筋群である。ハムストリングスＭ４は、大腿二頭筋、半膜様筋、半腱様筋、そして大内転筋によってなる筋群である。大腿二頭筋の働きは、主として歩行時における蹴りだす力、推進力を生成する筋として知られている。よって、ハムストリングスＭ４を刺激する運動とは、歩行速度の維持と歩行機能の向上に貢献できる運動を意味する。
【００６２】
吐水部３から吐水する足を屈曲させる水量は、入浴者Ｍが背中ｍ１を第一の浴槽壁面２ｂに当接させ、足裏ｍ２を吐水部３に対向させたときに、入浴者Ｍの足関節、膝関節及び股関節を同時に屈曲させることが可能な量であり、例えば、８０〜３００リットル／分である。尚、噴流の大きさが８０リットル／分未満であると、入浴者の足裏ｍ２が吐水部３から離れないことがあり、３００リットル／分を超えると、浴槽２から水が溢れ出すことがある。
【００６３】
吐水される水量が１１０リットル／分を超えると吐水される噴流の押圧によって脚部移動距離が１４０ｍｍ以上になり、この条件を境に使用者が、噴流による屈伸運動で運動感を感じることが確認されている。尚、モニター人数３５名において、１１０リットル／分を超えると吐水で足部が１４０ｍｍ以上移動し、運動感を感じることを確認している。
【００６４】
さらに屈伸運動において効果的で高い運動効果を得るには、１５０リットル／分程度の噴流で運動を行うことが良く。さら好ましくは、１８０リットル／分程度の噴流による運動が効果的である。なお、この噴流の大きさは、一般家庭用浴槽を対象とした循環式浴槽において、マッサージ用に噴出される噴流の大きさよりもかなり大きい。一般的なマッサージ用ブローにおいて、一つの吐水口から吐水される水量は、２０リットル／分程度である。またマッサージブローの強い強度においても、水量は多くて４０リットル／分程度である。
【００６５】
上述した通り、噴流の流量を増やすことで足裏を押圧する力を増加させるとともに屈伸運動の可動範囲を広くする。この噴流の増加に伴って、足裏に備わる感覚器と脚部に備わる腱器官を、より効果的に刺激する事で歩行に働く機能を効果的促進させることが可能となる。
【００６６】
また、利用する浴槽の水（湯）の水温は常温でも使用できるが、水温を、３６〜４１℃帯域で使用するのが好ましい。例えば、温度が体温に近く、温熱の負荷が低い場合の３６〜３８℃では、吐水の水量を多くし屈伸運動の回動量を増やす、もしくは、吐水の周期を早くすることで屈伸運動の回数を増やすことにより運動強度を高め、効果的な運動を入浴者へ提供することが可能となる。
【００６７】
一方、比較的短い時間で十分な運動を求める場合は、湯温度を高めに設定し（例えば３９〜４１℃）、温熱と運動の効果の相乗効果によって、湯の温度を低く設定した時に比べ、短い時間でエネルギー消費を起こし、効果的な運動を短い時間で行うことができる。
【００６８】
温熱の効果と運動効果について、図１４において説明する。
図１４は、縦軸に脂肪の燃焼効率を示す呼吸商を示し、横軸に経過の時間を図示し、速歩と噴流による他動運動を行った際の呼吸商を比較した値を示している。条件は、陸上での時速４．３キロ程のウォーキングと、湯温３９度で吐水量が１６０リットル／分程度の噴流を選択した本発明の一実施形態に係る運動浴槽装置を用いた入浴ウォーキングの場合を、呼吸商より比較した。結果、高い脂肪燃焼効果が得られる領域に、本発明の一実施形態に係る運動浴槽装置を用いた入浴ウォーキングが、陸上のウォーキングより早い時間帯で突入したことを示している。上記結果は、本発明の一実施形態に係る運動浴槽装置が、温熱と運動の相乗効果によって、短い時間で非常に高い運動効果を生成することを示すものである。
【００６９】
本発明の一実施形態を用いた運動を、３５名が体験した。その結果、入浴中の水中（入浴）ウォーキングが入浴姿勢から、噴流によって無理なく行われることがわかった。そして、継続して水中ウォーキングを行うと、運動感、筋の使用感を感じるという知見も得られた。また風呂から出たあと、足が温かい、ジョギングよりも運動感を感じる、といった運動の効果を体験者が体感していることを確認している。さらに、５分を経たずに、発汗作用が促進されることなども体感から知見を得ており、ダイエット効果にも適しておりメタボリック対策になるなどの感想も得られた。
【００７０】
また、噴流を足裏で受けることによって、足裏に備わる感覚器を刺激することができる。足裏に備わる感覚器（圧受容器）は、年齢の増加にともなって感度が低下する。そのため高齢者は足裏で身体の重心位置を検地することが出来ず転等する可能性が高くなるとことは一般的に知られている。しかし、感覚器の感度などは、絶えず感覚器を刺激することによって、感覚器の感度、そして、感覚器より検出した情報を伝える神経系の処理機能を維持することが可能となることも最近の研究にて報告されている。
【００７１】
本発明の一実施形態における浴槽装置は、脚部が屈曲するほどの強い噴流を足裏に当てている。そのため、第一に脚部を屈伸することで、腱や筋に備わる腱紡錘、筋紡錘といった固有感覚器を刺激する。そして第二に、噴流を足裏で直接受けることで足裏に備わる感覚器（圧受容器）が刺激される。それにより、感覚器と感覚器より検出した情報を伝える神経系の経路を促通させることが可能となり、バランス能力などを向上させることが出来る
【００７２】
更に本実施形態によれば、入浴者は、両足の吐水部３Ｌ及び３Ｒから吐水される水量に応じて屈伸運動より得る運動感が異なる。図１５に示す実線Ｌは、吐水部３からの噴流によって入浴者が屈伸運動を起こった時の脚部が噴流によって第二の浴槽壁面から離れて移動する距離と吐水の流量をとの関係を表している。
【００７３】
実線Ｌに示すように、足部の移動距離と吐水の流量には相関関係があり、吐水量が多くなると脚部移動量が増える。足部の異動距離が第二の浴槽壁面より離れるのは８０リットル／分程度からであり、８０リットル／分程度以上の吐水量になると、足部の移動が開始され屈伸運動を行える。より効果的な運動を入浴者が行うには、吐水量を１１０リットル／分とするとよい。
【００７４】
本実施例では、足部の移動距離は１４０ｍｍ程度となっていた。さらにより効果的な運動を得ようとすると、入浴者は吐水量、１８０リットル／分を選択し、さらに高い効果的な運動を得ようとすると、２００リットル／分となるように水量を調節してもよい。その際の脚部の移動距離は２５０ｍｍ〜３００ｍｍ程度となっていることが実験より分かっている。
【００７５】
また、足部の移動距離が、１４０mm程度となる吐水量、例えば１１０リットル／分の吐水での入浴ウォーキングにおいて、モニター実施者８人中７名が入浴ウォーキング実施終了後に、脚部を中心に運動感を感じるとコメントしている。ここでの運動感とは、脚部において軽い疲労感や、使用していた筋肉の一部が温かく感じることなどが主な意見として抽出されている。
【００７６】
本具体例においては、浴槽２内に水（湯）Ｗを溜めた状態で、入浴者Ｍが浴槽２内に入り、入浴姿勢をとる。そして、制御部５の操作ボタンを操作することにより、浴槽装置１による運動の実行時間及び屈伸運動の周期を任意に設定する。なお、制御部５の中に予め複数の種類の運動モードが設定されており、入浴者が好みの運動モードを選択するようにしてもよい。
【００７７】
例えば、入浴者が、運動負荷の高いモードを選択すると、タイマーが比較的短い周期で吐水する状態、吐水しない状態へと水量を切替える制御を、制御部５から吐水駆動部４に対して出力する。又は、運動時間及び運動周期はタイマーが自動的に設定してもよい。例えば、湯の設定温度が３９℃であるとき、タイマーは、１セットの運動時間を１０分間に設定する。
このように、本具体例によれば、運動の負荷を入浴者の好みに応じて任意に設定することができる。本具体例における上記以外の構成、動作及び効果は、前述の実施形態と同様である。
【００７８】
吐水駆動部４は、羽根車をモータによって回転させることで湯水を吸入し、吐水部３より吐水する噴流を作り出す回転式のポンプなどが用いられる。また、吐水駆動部４の制御には、シーケンサー、タイマー、AD/DA変換機と計算機などを用いてポンプの駆動状態を制御する。尚、回転式ポンプを想定して説明したが、本実施例は上記内容に限られるものではない。例えば、プランジャー、もしくはピストンなど容積型の電磁式往復ポンプを用いて吐水部３から噴流を作り出しても良い。
【符号の説明】
【００７９】
１  浴槽装置、２ 浴槽、２ａ 足側面、２ｂ 背側面、２ｃ底面、３  ノズル、３ａ  吐水開口、３ｂ  噴流逃がし部  ３ｃ  足当て部、４ ポンプ、５ 制御部、  ７ 吸入口、  ８操作部、６０  浴室ユニット、６１  防水パン、  ６２  壁パネル、  Ｍ 入浴者、ｍ１ 背中、ｍ２ 足裏、ｍ７  足部、  Ｗ 水  Ｙ  吐水方向
【図１】
2010172512.tif 000003
【図２】
2010172512.tif 000004
【図３】
2010172512.tif 000005
【図４】
2010172512.tif 000006
【図５】
2010172512.tif 000007
【図６】
2010172512.tif 000008
【図７】
2010172512.tif 000009
【図８】
2010172512.tif 000010
【図９】
2010172512.tif 000011
【図１０】
2010172512.tif 000012
【図１１】
2010172512.tif 000013
【図１２】
2010172512.tif 000014
【図１３】
2010172512.tif 000015
【図１４】
2010172512.tif 000016
【図１５】
2010172512.tif 000017